(57)【要約】【課題】着信履歴の発信者宛てにかけ直しを行う場合、広告や勧誘の案内情報のダイヤルや誤操作の相手にもかけ直しをしてしまい、不必要な通話料が発生する。【解決手段】着信時に着信履歴情報を保存し、着信音鳴動時間をタイマーで計時する。また、着信に応答しなかった時、着信鳴動が短く着信に応答できなかった時にタイマーを停止し、計時された鳴動時間と予め設定された所定時間を比較する。タイマーによる計時時間が所定時間よりも長い時に着信音鳴動時間を保存し、所定時間よりも短い時には着信履歴情報を消去する。これにより、着信音の鳴動時間が所定時間に満たない着信を着信履歴に残さないようにする。【選択図】　　　　図２
2004032508.tif 000002
【特許請求の範囲】
【請求項１】
着信時に着信履歴情報を保存する手段と、前記着信時に着信音鳴動時間を計時する手段と、着信に応答しなかった時、着信鳴動が短く着信に応答できなかった時に前記計時手段の計時動作を停止する手段と、前記計時手段で計時された鳴動時間と予め設定された所定時間とを比較する手段と、前記比較手段の比較結果に基づいて前記計時手段による計時時間が設定された所定時間よりも長い時に着信音鳴動時間を保存し、且つ、計時時間が前記所定時間よりも短い時には前記着信履歴情報を消去する手段とを備えたことを特徴とする携帯情報端末装置。
【請求項２】
前記着信履歴情報は、着信時刻、発信者電話番号であることを特徴とする請求項１に記載の携帯情報端末装置。
【請求項３】
前記所定時間は、使用者により設定可能であることを特徴とする請求項１、２に記載の携帯情報端末装置。
【請求項４】
前記所定時間は、予め記憶手段に格納されていることを特徴とする請求項１〜３に記載の携帯情報端末装置。
【請求項５】
前記着信時刻、発信者番号及び着信音鳴動時間を含む着信履歴情報をキー操作によって表示する表示部を有することを特徴とする請求項１〜４に記載の携帯情報端末装置。
【請求項６】
前記所定時間は、迷惑電話等発信してすぐに切断される時間よりも長いことを特徴とする請求項１〜５に記載の携帯情報端末装置。
【発明の詳細な説明】
【０００１】
【発明の属する技術分野】
本発明は、携帯電話装置、ＰＨＳ等の携帯情報端末装置、特に、着信履歴情報記憶機能を有する携帯情報端末装置に関するものである。
【０００２】
【従来の技術】
従来、携帯電話機等の携帯情報端末においては、使用者が何らかの理由により着信に応答できない場合には（不在着信時）、発信者の電話番号、着信日時の情報を自装置内の予め設けられた記録エリアに格納している。この従来の方法では、使用者はキー操作を行い、不在着信履歴を表示することで、電話に応答しなかった発信者番号及び着信日時を確認することができる。
【０００３】
図３は従来の着信発生時における着信履歴の保存処理を示すフローチャートである。図３において、まず、音声着信が発生すると（Ｓ３０１）、リアルタイムクロックから現在時刻を取得し、着信履歴情報としてＲＡＭ等に保存する（Ｓ３０２）。また、発信者番号を着信履歴情報としてＲＡＭ等に保存する（Ｓ３０３）。その後、スピーカからの着信音の鳴動を開始する（Ｓ３０４）。
【０００４】
次いで、使用者が着信に応答したかどうかを判断し（Ｓ３０５）、着信に応答した場合には、着信音の鳴動を停止し（Ｓ３０６）、通話に移行する（Ｓ３０７）。通話が終了し、使用者がキースイッチにて切断操作を行うか、網側からの切断信号を受信した場合には、切断処理を行い（Ｓ３０８）、待ち受け状態に移行する（Ｓ３０９）。
【０００５】
一方、Ｓ３０５で使用者が何らかの理由により着信に応答しなかった場合、或いは着信鳴動がごく短時間で終了してしまい使用者が着信に応答できなかった場合には、着信音の鳴動を停止し（Ｓ３１０）、待ち受けに移行する（Ｓ３０９）。この時、ＲＡＭ等には着信日時、発信者番号及び着信に対する応答の有無等の情報が着信履歴として保存される。
【０００６】
【発明が解決しようとする課題】
しかしながら、最近では、広告や勧誘の案内情報を聴かせることを目的として端末に着信履歴を残すため、数秒間の着信鳴動後、切断してしまう迷惑電話や、携帯情報端末の機能向上に伴い、誤操作により発信してしまい、着信音鳴動後に即切断するということが増加してきている。このため、使用者は着信履歴に格納された発信者宛てにかけ直しを行った時に広告や勧誘の案内情報のダイヤルや誤操作の相手にもかけ直しをしてしまい、不必要な通話料が発生してしまうことがあった。
【０００７】
本発明は、上記従来の問題点に鑑みなされたもので、その目的は、迷惑電話や誤操作等による場合の着信履歴情報を消去することにより、不必要な通話料の発生を抑えることが可能な携帯情報端末装置を提供することにある。
【０００８】
【課題を解決するための手段】
本発明は、上記目的を達成するため、着信時に着信履歴情報を保存する手段と、前記着信時に着信音鳴動時間を計時する手段と、着信に応答しなかった時、着信鳴動が短く着信に応答できなかった時に前記計時手段の計時動作を停止する手段と、前記計時手段で計時された鳴動時間と予め設定された所定時間とを比較する手段と、前記比較手段の比較結果に基づいて前記計時手段による計時時間が設定された所定時間よりも長い時に着信音鳴動時間を保存し、且つ、計時時間が前記所定時間よりも短い時には前記着信履歴情報を消去する手段とを備えたことを特徴とする。
【０００９】
【発明の実施の形態】
次に、本発明の実施の形態について図面を参照して詳細に説明する。図１は本発明の情報携帯端末装置の一実施形態の構成を示すブロック図である。図１において、１００は基地局−端末間で無線信号を送受信するためのアンテナ、１０１は送受信した無線信号を変復調し基地局からの無線信号に従った動作を行うための無線送受信部である。また、１０２は予め登録された自己の無線情報に従い、送信データを主制御部１０４から受け取り無線送受信部１０１に送出すると共に、無線を介して受信したデータを主制御部１０４に供給する無線データ制御部である。
【００１０】
１０３は電話番号や時計、着信履歴等を表示する表示部、１０４は装置の各部を制御する主制御部、１０５はプログラムＲＯＭ、１０６は使用者が電話番号の入力等の各種操作を行うためのキースイッチ、１０７は着信履歴等のデータを格納するＲＡＭ、１０８は日時情報を取得するためのリアルタイムクロック、１０９は音声信号を変換するための音声処理部、１１０は着信音を出力するためのスピーカ、１１１は音声を入力するためのマイク、１１２は通話相手の音声を出力するためのレシーバである。
【００１１】
音声着信発生時には、アンテナ１００からの信号は無線送受信部１０１で受信され、無線データ制御部１０２を経由して主制御部１０４に送られる。主制御部１０４はこの着信の発信者番号を着信履歴としてＲＡＭ１０７に保存する。この時、主制御部１０４はリアルタイムクロック１０８から年、月、日、時刻等の日時情報を取得し、前述の発信者番号に付加して保存する。即ち、着信履歴情報として発信者番号と着信日時の情報がＲＡＭ１０７に保存される。また、後述するように着信音鳴動時間もＲＡＭ１０７に保存される。使用者がキースイッチ１０６を操作して着信履歴を表示すると、表示部１０３には発信者番号、着信日時、着信音鳴動時間等の履歴情報が表示される。
【００１２】
次に、本実施形態の動作を図２を用いて詳細に説明する。図２は本実施形態の動作を示すフローチャートである。図２において、まず、着信が発生すると（Ｓ２０１）、主制御部１０４はリアルタイムクロック１０８から現在時刻を取得し、着信履歴情報としてＲＡＭ１０７に保存する（Ｓ２０２）。また、主制御部１０４は発信者番号を着信履歴情報としてＲＡＭ１０７に保存する（Ｓ２０３）。その後、主制御部１０４はスピーカ１１０を制御して着信音の鳴動を開始し（Ｓ２０４）、鳴動時間を記録するための着信音鳴動タイマーをスタートさせる（Ｓ２０５）。
【００１３】
次いで、主制御部１０４は使用者が着信に応答したかどうかを判断し（Ｓ２０６）、着信に応答した場合には、着信音鳴動を停止する（Ｓ２０７）。同時に、着信音鳴動タイマーを停止し（Ｓ２０８）、その後、通話に移行する（Ｓ２０９）。通話が終了すると、主制御部１０４は切断処理を行い（Ｓ２１０）、待ち受けに移行する（Ｓ２１１）。
【００１４】
一方、Ｓ２０６で使用者が着信に応答しなかった場合、及び着信鳴動がごく短時間で終了してしまい、使用者が着信に応答できなかった場合には、主制御部１０４は着信音の鳴動を停止し（Ｓ２１２）、同時に着信音鳴動タイマーを停止する（Ｓ２１３）。次に、主制御部１０４は着信音鳴動タイマーによって計時された着信音鳴動時間と予め使用者によって設定された着信音鳴動最小時間とを比較する（Ｓ２１４）。設定された着信音鳴動最小時間はＲＡＭ１０７等に記憶させておく。
【００１５】
ここで、タイマーによる着信音鳴動時間が予め設定された着信音鳴動最小時間よりも長い場合には（Ｓ２１４がＹｅｓ）、着信音鳴動時間を着信履歴情報としてＲＡＭ１０７に保存し（Ｓ２１５）、待受けに移行する（Ｓ２１１）。一方、Ｓ２１４で着信音鳴動時間が設定された着信音鳴動最小時間より短い場合には（Ｓ２１４がＮｏ）、Ｓ２０２、Ｓ２０３でＲＡＭ１０７に保存された着信履歴情報（時刻、発信者番号）を消去し（Ｓ２１６）、待ち受けに移行する（Ｓ２１１）。なお、Ｓ２１４における設定時間としては、発信側の誤操作や迷惑電話等の場合の鳴動時間を考慮して、それらの誤操作や迷惑電話等の履歴情報を残さないように設定するものとする。
【００１６】
このように本実施形態では、着信音の鳴動時間が設定された着信音鳴動最小時間より短い場合には、着信履歴がＲＡＭ１０７に保存されない。そのため、使用者が着信履歴を確認した場合は、この着信は表示部に表示されず認識することはない。即ち、着信音の鳴動時間が設定時間に満たない場合の着信を着信履歴に残さないことで、前述のような発信側の誤操作による着信や迷惑電話の可能性のある着信を認識することがないため、誤操作や迷惑電話等である場合には、かけ直しを行うことが少なくなり、使用者にとって不必要な通話料の発生を防ぐことができる。
【００１７】
【発明の効果】
以上説明したように本発明によれば、広告や勧誘の案内情報を聴かせることを目的として端末に着信履歴を残すための迷惑電話や、発信者が端末を誤操作した場合等の着信履歴を消去するため、かけ直しを行うことが少なくなり、使用者にとって不必要な通話料の発生を防ぐことができる。
【図面の簡単な説明】
【図１】本発明の携帯情報端末装置の一実施形態を示すブロック図である。
【図２】図１の実施形態の動作を示すフローチャートである。
【図３】従来の着信履歴保存処理を示すフローチャートである。
【符号の説明】
１００　アンテナ
１０１　無線送受信部
１０２　無線データ制御部
１０３　表示部
１０４　主制御部
１０５　プログラムＲＯＭ
１０６　キースイッチ
１０７　ＲＡＭ
１０８　リアルタイムクロック
１０９　音声処理部
１１０　スピーカ
１１１　マイク
１１２　レシーバ
【図１】
2004032508.tif 000003
【図２】
2004032508.tif 000004
【図３】
2004032508.tif 000005